【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
多重化されたビデオ・データ・パケットの多重化されたデータ・ストリームを受信するように構成された装置であって、前記多重化されたデータ・ストリームは、複数の入力ビデオ・ストリームから生成され、各々の入力ビデオ・ストリームは、異なる優先順位を有し、前記装置は、
ＰＯＤモジュールを使用して、前記多重化されたデータ・ストリームを復号化するように構成されたＰＯＤ(point-of-deployment)モジュール・コントローラと、
該ＰＯＤモジュールに接続されたデマルチプレクサであって、前記多重化されたデータ・ストリームを分離して、前記ビデオ・データ・パケットが、各々の出力ビデオ・データ・ストリームにグループ分けされ、前記多重化されたデータ・ストリームと関連付けられたタイミング情報を使用して、前記出力ビデオ・データ・ストリームのパケットが、前記入力ビデオ・ストリームの前記優先順位に関わらず、タイミング情報に従って、タイム・スペーシングを有するように構成されたデマルチプレクサと
を備えたことを特徴とする装置。
【請求項２】
前記デマルチプレクサは、前記多重化されたデータ・ストリームの前記ビデオ・データ・パケットの各々と関連付けられた各々のタイミング情報を用いて、前記多重化されたデータ・ストリームを分離するように構成されていることを特徴とする請求項１に記載の装置。
【請求項３】
前記デマルチプレクサは、前記ビデオ・データ・パケットのヘッダに含まれた各々のタイミング情報を用いて、前記多重化されたデータ・ストリームを分離するように構成されていることを特徴とする請求項２に記載の装置。
【請求項４】
前記タイミング情報は、前記ビデオ・データ・パケットのヘッダに、各々のタイム・スタンプを備え、および前記デマルチプレクサは、各々のビデオ・データ・ストリームのパケット間のタイム・スペーシングを決定するように構成されていることを特徴とする請求項２に記載の装置。
【請求項５】
前記デマルチプレクサは、バッファを備え、前記デマルチプレクサは、前記それぞれのビデオ・データ・パケットと関連付けられた前記タイミング情報に従って、それぞれの期間に、前記分離されたデータ・パケットを前記バッファに格納するように構成されていることを特徴とする請求項１に記載の装置。
【請求項６】
前記ＰＯＤモジュール・コントローラおよび前記デマルチプレクサは、半導体チップ上に配置されることを特徴とする請求項１に記載の装置。
【請求項７】
複数の復号化された入力ビデオ・データ・ストリームを受信するように構成された受信器であって、各々の入力ビデオ・ストリームは、異なる優先順位を有し、前記受信器は、
前記複数の入力ビデオ・データ・ストリームのデータ・パケットを、各々の入力ビデオ・ストリームの優先順位に基づいて、ビデオ・データ・パケットの多重化されたデータ・ストリームに多重化するように構成され、および
前記各々の入力ビデオ・データ・ストリームの前記ビデオ・データ・パケットのタイム・スペーシングを、前記各々の入力ビデオ・ストリームの優先順位に関わらず、デマルチプレクサにより決定するために、タイミング情報を、前記多重化されたデータ・ストリームと関連付けるように構成されたマルチプレクサを備えたことを特徴とする受信器。
【請求項８】
前記マルチプレクサは、前記各々の入力ビデオ・データ・ストリームの前記ビデオ・データ・パケット前記タイム・スペーシングを決定できるように、各々のタイミング情報を、前記多重化されたデータ・ストリームのビデオ・データ・パケットの各々と関連付けするように構成されていることを特徴とする請求項７に記載の受信器。
【請求項９】
前記マルチプレクサは、前記タイミング情報を、前記ビデオ・データ・パケットのヘッダに付加して、前記多重化されたデータ・ストリームを形成するように構成されていることを特徴とする請求項７に記載の受信器。
【請求項１０】
前記タイミング情報は、タイム・スタンプであることを特徴とする請求項７に記載の受信器。
【請求項１１】
前記タイミング情報は、前記マルチプレクサが、前記ビデオ・データ・パケットを処理した時間を表示することを特徴とする請求項７に記載の受信器。
【請求項１２】
複数の暗号化された入力ビデオ・データ・ストリームを受信し、前記入力ビデオ・データ・ストリームから同時に表示するための複数の出力ビデオ・データ・ストリームを取り出すように構成された受信器を使用するシステムであって、各々の入力ビデオ・ストリームは、異なる優先順位を有し、前記システムは、
前記複数の入力ビデオ・データ・ストリームのデータ・パケットを、各々の入力ビデオ・ストリームの優先順位に基づいて、ビデオ・データ・パケットの多重化されたデータ・ストリームに多重化し、および前記各々の入力ビデオ・データ・ストリームの前記ビデオ・データ・パケットのタイム・スペーシングを決定するために、タイミング情報を、前記多重化されたデータ・ストリームと関連付けるように構成されたマルチプレクサと、
該マルチプレクサに接続され、前記多重化されたデータ・ストリームを復号するように構成された復号モジュールと、
該復号モジュールに接続されたデマルチプレクサであって、前記多重化されたデータ・ストリームを分離して、前記ビデオ・データ・パケットが、各々の出力ビデオ・データ・ストリームにグループ分けされ、前記タイミング情報を使用して、前記出力ビデオ・データ・ストリームのパケットが、対応する入力ビデオ・ストリームの前記優先順位に関わらず、前記対応する入力ビデオ・データ・ストリームの対応するデータ・パケットの入力タイム・スペーシングに実質的に等しいタイム・スペーシングを有するようにさらに構成されたデマルチプレクサと
を備えたことを特徴とするシステム。
【請求項１３】
前記マルチプレクサは、前記各々の入力ビデオ・データ・ストリームの前記ビデオ・データ・パケットの前記タイム・スペーシングを決定できるように、各々のタイミング情報を、前記多重化されたデータ・ストリームの各々のビデオ・データ・パケットと関連付けるように構成されていることを特徴とする請求項１２に記載のシステム。
【請求項１４】
前記マルチプレクサは、各々のタイミング情報を前記ビデオ・データ・パケットのヘッダに付加して、前記多重化されたデータ・ストリームを生成するように構成されていることを特徴とする請求項１３に記載のシステム。
【請求項１５】
前記タイミング情報は、タイム・スタンプであることを特徴とする請求項１３に記載のシステム。
【請求項１６】
前記タイミング情報は、前記ビデオ・データ・パケットが前記受信器によって処理された時間を表示することを特徴とする請求項１３に記載のシステム。
【請求項１７】
前記デマルチプレクサは、バッファを備え、前記デマルチプレクサは、前記それぞれのビデオ・データ・パケットと関連付けられた前記タイミング情報に従って、それぞれの期間に、前記分離されたデータ・パケットを前記バッファに格納するように構成されていることを特徴とする請求項１２に記載のシステム。
【請求項１８】
変調されたケーブル信号のジッタを除去する方法であって、
前記ケーブル信号を少なくとも１つのトランスポート・ストリームに復調することであって、各々のトランスポート・ストリームは、異なる優先順位を有すること、
各々のトランスポート・ストリームを複数のパケットにパケット化すること、
前記複数のパケットの各々にタイミング・データを付加することであって、前記タイミング・データは、前記トランスポート・ストリーム内の各々のパケットのタイミング関係を示すこと、
前記トランスポート・ストリームの各々を、各々のトランスポート・ストリームの前記優先順位に基づいて、１つの多重化されたデータ・ストリームに多重化すること、
前記多重化されたデータ・ストリームを受信器に送信すること、
前記多重化されたデータ・ストリームを、少なくとも１つの個別のトランスポート・ストリームに分離すること、
前記タイミング・データを用いて、前記個別のトランスポート・ストリームを再構成して、前記個別のトランスポート・ストリームの前記優先順位に関わらず、前記個別のトランスポート・ストリーム内の各々のパケットのタイム・スペーシングを維持すること
を備えることを特徴とする方法。
【請求項１９】
前記変調されたケーブル信号は、暗号化されたトランスポート・ストリームであり、
前記暗号化されたトランスポート・ストリームの各々のパケットのペイロードを復号することであって、復号化は、分離する前に実行されることを特徴とする請求項１８に記載の方法。
【請求項２０】
前記タイミング・データは、絶対時間、第１パケットから現在のパケットまでの相対時間、前のパケットから現在のパケットまでの相対時間、またはパケット間の単位時間のインクリメントのいずれかであることを特徴とする請求項１８に記載の方法。
【請求項２１】
変調されたケーブル信号のジッタを除去するシステムであって、
前記ケーブル信号を少なくとも１つのトランスポート・ストリームに復調するように構成された復調器であって、各々のトランスポート・ストリームは、異なる優先順位を有する復調器と、
各々のトランスポート・ストリームにタイミング情報を付加し、
複数のトランスポート・ストリームを、各々のトランスポート・ストリームの前記優先順位に基づいて、１つの多重化されたトランスポート・ストリームに多重化するマルチプレクサとを含むケーブルホスト、および
前記多重化されたトランスポート・ストリームを受信するように構成された受信器であって、
前記多重化されたトランスポート・ストリームを、少なくとも１つの個別のトランスポート・ストリームに分離し、
前記タイミング情報を用いて、前記個別のトランスポート・ストリームを再構成して、前記個別のトランスポート・ストリームの前記優先順位に関わらず、前記個別のトランスポート・ストリーム内の各々のパケットのタイム・スペーシングを維持する復号器を含む受信器
を備えたことを特徴とするシステム。
【請求項２２】
前記タイミング情報は、絶対時間、第１パケットから現在のパケットまでの相対時間、前のパケットから現在のパケットまでの相対時間、またはパケット間の単位時間のインクリメントのいずれかであることを特徴とする請求項２１に記載のシステム。
【請求項２３】
前記ケーブルホストは、
前記トランスポート・ストリームのジッタを除去し、およびジッタが除去されたトランスポート・ストリームを前記マルチプレクサに供給する出力形式スムーザ
をさらに備えたことを特徴とする請求項２１に記載のシステム。
【請求項２４】
前記ケーブルホストは、
入力として前記トランスポート・ストリームを受け取り、一定のデータ速度の出力トランスポート・ストリームを生成し、前記一定のデータ速度のトランスポート・ストリームを前記マルチプレクサに供給する出力形式スムーザ
をさらに備えたことを特徴とする請求項２１に記載のシステム。
【請求項２５】
前記変調されたケーブル信号は、暗号化されたトランスポート・ストリームを含み、
前記受信器は、
前記暗号化されたトランスポート・ストリームの各々のパケットのペイロードを復号し、前記復号されたトランスポート・ストリームを前記復号器に転送するコントローラ
をさらに備えたことを特徴とする請求項２１に記載のシステム。
【請求項２６】
前記受信器は、
前記復号器と通信するバッファであって、前記復号器が前記個別のトランスポート・ストリームを再構成している間、前記復号器によるパケットを格納するように構成されているバッファ
をさらに備えたことを特徴とする請求項２１に記載のシステム。